(57)【要約】【課題】装着されたヘッド部の種類に応じて、本体側の電池からの電力供給の状態が適応的に制御され撮影が確実に行なわれる撮影システムを提供する．【解決手段】撮影光学系と撮像素子とを備えたヘッド部１ａが着脱自在に装着されたときに本体部１ｂの信号処理／制御部１００ｂがヘッド部１ａのメモリ１００４ａからヘッド部１ａの動作時の消費電力量の情報を取得して認識する。認識した消費電力量が所定電力量を超えていた場合に信号処理／制御部１００ｂは、表示制御部１０１ｂに指示して、表示制御部１０１ｂに、ＬＣＤ１５ｂが備える表示画面１５０ｂを背面から照射するバックライトＬ１の輝度を下げさせ、ヘッド部１ａが動作するのに必要な電力量を確保する。【選択図】図２
2008131304.tif 000002
【特許請求の範囲】
【請求項１】
撮影光学系と撮像素子とを備えたヘッド部と、該ヘッド部が着脱自在に装着され該ヘッド部から画像データを受け取って記録する本体部とを具備する撮影システムにおいて、
前記本体部が、
表示画面と該表示画面を背面から照射するバックライトを有し、該表示画面上に画像データに基づく画像を表示する表示手段と、
前記本体部に装着されたヘッド部の種類に応じた消費電力量を認識する認識手段と、
前記認識手段により認識された消費電力量に応じて該消費電力量が所定電力量を超えていた場合に前記バックライトの輝度を下げる制御手段とを備えたことを特徴とする撮影システム。
【請求項２】
ユーザにより操作される、前記バックライトの輝度を切り替える操作子を備え、
前記制御手段は、前記認識手段により認識された消費電力量が前記所定電力量を越えていた場合であっても、ユーザの切替操作に応じて前記バックライトの輝度を上げるモードを有することを特徴とする請求項１記載の撮影システム。
【請求項３】
前記表示手段は、前記表示画面を前記本体部から目を離した状態で視認する液晶表示装置であることを特徴とする請求項１又は２記載の撮影システム。
【請求項４】
前記表示手段は、前記表示画面を前記本体部に設けられた接眼部に眼を当てた状態で視認する電子ビューファインダであることを特徴とする請求項１又は２記載の撮影システム。
【請求項５】
撮影光学系と撮像素子とを備えたヘッド部と、該ヘッド部が着脱自在に装着され該ヘッド部から画像データを受け取って記録する本体部とを具備する撮影システムにおいて、
表示画面を有し該表示画面上に画像データに基づく画像を表示する、複数種類の表示手段と、
前記本体部に装着されたヘッド部の種類に応じた消費電力量を認識する認識手段と、
前記認識手段により認識された消費電力量が所定電力量を超えているか否かに応じて、それぞれ、表示手段のうちの少なくとも一つの表示手段を使用可能とするとともに他の少なくとも一つの表示手段を使用不能に制御し、および、前記複数種類の表示手段全てを使用可能に制御する制御手段とを備えたことを特徴とする撮影システム。
【請求項６】
ユーザにより操作される、前記消費電力量が所定電力量を超えていた場合に前記複数種類の表示手段のうちの使用可能とする表示手段を切り替える操作子を備え、
前記制御手段は、前記認識手段により記憶された消費電力量が所定電力量を超えていた場合に、前記操作子の操作による切替えに従って、前記複数種類の表示手段のうちの一部の表示手段を使用可能とし、該一部の表示手段を除く表示手段を使用不能とするものであることを特徴とする請求項１記載の撮影システム。
【請求項７】
前記操作子は、前記消費電力量が所定電力量を超えていた場合であっても前記複数種類の表示手段の全てを使用可能とするモードに切り替える操作が可能なものであって、
前記制御手段は、前記認識手段により認識された消費電力量が所定電力量を超えていた場合であっても、前記モードへの切替えにより前記複数種類の表示手段の全てを使用可能に制御するものであることを特徴とする請求項６記載の撮影システム。
【請求項８】
前記複数種類の表示手段は、少なくとも、前記表示画面を前記本体部から目を離した状態で視認する液晶表示装置と、前記表示画面を前記本体部に設けられた接眼部に目を当てた状態で視認する電子ビューファインダであることを特徴とする請求項１又は２記載の撮影システム。
【発明の詳細な説明】
【技術分野】
【０００１】
本発明は、撮影光学系と撮像素子とを備えたヘッド部と、ヘッド部から画像データを受け取って記録する本体部とを備えた撮影システムに関する。
【背景技術】
【０００２】
液晶技術が発達して液晶ディスプレイ（以降の説明においては、Ｌｉｑｕｉｄ  Ｃｒｙｓｔａｌ  Ｄｉｓｐｌａｙの頭文字をとってＬＣＤと記載する）の価格が下がってきたので、携帯機器を製造する製造業者達は、複数のＬＣＤを携帯機器に搭載してユーザに使い勝手の良い携帯機器を提供しようとしている。
【０００３】
携帯機器であるデジタルカメラの中には、相対的に大きな表示画面を備えるＬＣＤを搭載するとともに、ファインダ内に相対的に小さな表示画面を備えたＬＣＤを搭載して、撮影場面に応じてそれらを使い分けることができるようにしてユーザに使い易さを提供しようとしているものがある。なお、ここでいうファインダ内に相対的に小さな表示画面を備えたＬＣＤとは電子ビューファインダ（以降においては、Ｅｌｅｃｔｒｏｎｉｃ  Ｖｉｅｗ  Ｆｉｎｄｅｒの頭文字をとってＥＶＦと記載する）を指し、このＥＶＦはＬＣＤそのものではなくＬＣＤを備えたものになるが、以降の説明においてはデジタルカメラが２つのＬＣＤを備えていることを示すためにＬＣＤとＥＶＦという言葉を用いることにする。
【０００４】
このようにＬＣＤとＥＶＦとが備えられていると、本体部から目を離した状態で大きな表示画面上の被写体を視認しながら撮影を行なうことも、ＥＶＦの接眼部に眼を当てた状態で小さな表示画面上の被写体を視認しながら撮影を行なうこともできる。この様なデジタルカメラの中には、さらに操作用のＬＣＤを搭載してどのような操作が行なわれたかをＬＣＤが備える表示画面を使ってユーザに通知するものもある。
【０００５】
ところで、ＬＣＤの消費電力は携帯機器に組み込まれている部品の中でも大きい。もしもＥＶＦとＬＣＤとを常時動作状態にしておくとデジタルカメラ内の電池の消費電力が増大してしまう。そこで必要に応じてＥＶＦとＬＣＤのオンオフをそれぞれ制御して電池の電力消費を抑制する技術が数多く提案されている（例えば特許文献１〜３参照）。
【０００６】
特許文献１の技術では、ＥＶＦの使用を検知するセンサを設けて、そのセンサでＥＶＦの使用を検知したときにはＬＣＤの表示をオフにするとともにＥＶＦの表示をオンにし、逆にＥＶＦの使用を検知しないときにはＥＶＦの表示をオフにするとともに背面側のＬＣＤの表示をオンにすることで、ユーザに使い易さを提供するとともに電池の消費電力を抑制して長時間の撮影を行なうことができる様にしようとしている。
【０００７】
また特許文献２の技術では、電池の容量が少なくなってきたときには、ＬＣＤの表示をオフしＥＶＦのみに電力を供給して電池の容量の低下をユーザに伝えるとともに電池の容量低下後の撮影を長時間行なうことができる様にしてユーザに使い易さを提供しようとしている。また特許文献３には、動画モードのときにはＬＣＤが備える表示画面を背面側から照射するバックライトの輝度を下げて電池の電力消費や発熱を抑えて、長時間の動画撮影を行なうことができる様にする技術が提案されている。
【特許文献１】特開２００３−２３４９４２号公報
【特許文献２】特開２００３−３３３４００号公報
【特許文献３】特開２００４−１１２２９０号公報
【発明の開示】
【発明が解決しようとする課題】
【０００８】
ところで、撮影装置の中には、ヘッド部が着脱自在に本体部に装着され撮影が行なわれる撮影システムがある。このような撮影システムにおいては、いろいろな種類のヘッド部が共通の本体部に装着され本体部とヘッド部とが本体部内の電池からの電力供給を受けて動作し撮影が行なわれる。このいろいろな種類のヘッド部の中には、消費電力が大きいものから小さいものまで様々なものがあり、本体部の構成によっては、消費電力の大きなヘッド部が装着された場合にはヘッド部が過負荷状態になってヘッド部への電力供給に支障が生じて撮影を行なうことができなくなってしまう恐れがある。
【０００９】
本発明は、上記事情に鑑み、装着されたヘッド部の種類に応じて、本体部内の電池からの電力供給の状態が適応的に制御され撮影が確実に行なわれる撮影システムを提供することを目的とする。
【課題を解決するための手段】
【００１０】
上記目的を達成する本発明の第１の撮影システムは、撮影光学系と撮像素子とを備えたヘッド部と、そのヘッド部が着脱自在に装着されそのヘッド部から画像データを受け取って記録する本体部とを具備する撮影システムにおいて、
上記本体部が、
表示画面とその表示画面を背面から照射するバックライトを有し、その表示画面上に画像データに基づく画像を表示する表示手段と、
上記本体部に装着されたヘッド部の種類に応じた消費電力量を認識する認識手段と、
上記認識手段により認識された消費電力量に応じてその消費電力量が所定電力量を超えていた場合に上記バックライトの輝度を下げる制御手段とを備えたことを特徴とする。
【００１１】
上記本発明の第１の撮影システムによれば、上記本体部に装着されたヘッド部の種類に応じた消費電力量が上記認識手段によって認識され、認識された消費電力量が所定電力量を超えていた場合に上記表示画面を背面から照射するバックライトの輝度が下げられる。
【００１２】
つまり、装着されたヘッド部の消費電力量が所定電力消費量を超えるときには当該撮影システムで所定の時間の間撮影が行なわれる様に上記本体部が備える上記制御手段によってバックライトへの電力供給量が低減されヘッド部が動作するのに必要な電力供給量が確保される。
【００１３】
ここで、ユーザにより操作される、上記バックライトの輝度を切り替える操作子を備え、
上記制御手段は、上記認識手段により認識された消費電力量が上記所定電力量を越えていた場合であっても、ユーザの切替操作に応じて前記バックライトの輝度を上げるモードを有する態様であることが好ましい。
【００１４】
上記制御手段によって、上記バックライトの輝度が下げられてしまうと表示画面が暗くなるので、ユーザの中には表示画面が見づらいと思う人も出てくる。上記操作子があると、ユーザの意思が反映され消費電力が上がることは分かっていてもユーザが表示画面を明るくしたいと思ったときには明るくすることができる。
【００１５】
ここで上記表示手段は、上記表示画面を上記本体部から目を離した状態で視認する液晶表示装置（ＬＣＤ）であっても良く、
上記表示手段は、上記表示画面を上記本体部に設けられた接眼部に眼を当てた状態で視認する電子ビューファインダ（ＥＶＦ）であっても良い。
【００１６】
また、上記目的を達成する本発明の第２の撮影システムは、撮影光学系と撮像素子とを備えたヘッド部と、そのヘッド部が着脱自在に装着されそのヘッド部から画像データを受け取って記録する本体部とを具備する撮影システムにおいて、
表示画面を有しその表示画面上に画像データに基づく画像を表示する、複数種類の表示手段と、
上記本体部に装着されたヘッド部の種類に応じた消費電力量を認識する認識手段と、
上記認識手段により認識された消費電力量が所定電力量を超えているか否かに応じて、それぞれ、表示手段のうちの少なくとも一つの表示手段を使用可能に制御するとともに他の少なくとも一つの表示手段を使用不能に制御し、および、上記複数種類の表示手段全てを使用可能に制御する制御手段とを備えたことを特徴とする。
【００１７】
上記本発明の第２の撮影装置によれば、装着されたヘッド部の消費電力量が上記認識手段によって認識され認識された消費電力量が所定電力を超えていた場合には、上記制御手段によって、上記表示手段のうちの少なくとも一つの表示手段が使用可能に制御されるとともに他の少なくとも一つの表示手段が使用不能に制御される。
【００１８】
つまり、装着されたヘッド部の消費電力に応じて、撮影時に最も使用される表示手段一つを使用可能状態にすることで、消費電力を抑制するとともに撮影に支障のない状態をユーザに提供することができる。
【００１９】
また、装着されたヘッド部の消費電力量が上記認識手段によって認識され認識された消費電力量が所定電力を超えていない場合には、上記制御手段によってすべての表示手段が使用可能に制御されるので、ユーザは、撮影場面に応じて複数の表示手段を使い分けて重い通りの構図で撮影を行なうことができる。
【００２０】
ここで、ユーザにより操作される、上記消費電力量が所定電力量を超えていた場合に上記複数種類の表示手段のうちの使用可能とする表示手段を切り替える操作子を備え、
上記制御手段は、上記認識手段により記憶された消費電力量が所定電力量を超えていた場合に、上記操作子の操作による切替に従って、上記複数種類の表示手段のうちの一部の表示手段を使用可能とし、その一部の表示手段を除く表示手段を使用不能とするものであることが好ましい。
【００２１】
こうして上記複数種類の表示手段のうちのいずれかを上記操作子のユーザ操作により選択的に使用することができる構成にしておくと、あたかもすべての表示手段が動作状態であるかの様にいずれかの表示手段の表示を見ながらこの撮影装置を操作することができる。
【００２２】
また、上記操作子は、上記消費電力量が所定電力量を超えていた場合であっても上記複数種類の表示手段の全てを使用可能とするモードに切り替える操作が可能なものであって、
上記制御手段は、上記認識手段により認識された消費電力量が所定電力量を超えていた場合であっても、上記モードへの切替えにより上記複数種類の表示手段の全てを使用可能に制御するものであっても良い。
【００２３】
ここで、上記複数種類の表示手段は、少なくとも、上記表示画面を上記本体部から目を離した状態で視認する液晶表示装置（ＬＣＤ）と、上記表示画面を上記本体部に設けられた接眼部に目を当てた状態で視認する電子ビューファインダ（ＥＶＦ）であることが好ましい。
【発明の効果】
【００２４】
以上、説明したように、装着されたヘッド部の種類に応じて、本体部内の電池からの電力供給の状態が適応的に制御される撮影システムが実現する。
【発明を実施するための最良の形態】
【００２５】
以下、本発明の実施の形態について説明する。
【００２６】
図１は、本発明の一実施形態である撮影システムを示す図である。
【００２７】
本発明の撮影システムは、複数の種類１ａ〜ｎａのヘッド部を備えたものであって、その複数の種類のうちのいずれかの種類のヘッド部が共通の本体部１ｂに交換自在に装着されて撮影システム１が構成される。この複数の種類のヘッド部１ａ〜ｎａは各々異なる動作電力で動作するものであり、各ヘッド部の動作時の消費電力量の情報が各ヘッド１ａ〜ｎａ部が備えるメモリ内に予め記憶されている。
【００２８】
図１（ａ）には、その複数の種類のヘッド部１ａ〜ｎａの中のヘッド部１ａが選択され、そのヘッド部１ａが着脱自在に本体部１ｂに装着されようとしているところが示されている。また、図１（ｂ）には本体部１ｂの背面側の構成が示されている。
【００２９】
図１（ａ）に示すように本体部１ｂの中央には、多数のマウント接点を持つヘッドマウントが設けられ、またヘッド部１ａ〜ｎａ側にも同様のマウント部が設けられている。多数のヘッド部１ａ〜ｎａのうちのヘッド部１ａが例えば選択され選択されたヘッド部１ａが図中の一点鎖線に沿って本体部１ｂに機械的に装着されると、双方のマウント接点同士が各々接続されてヘッド部１ａと本体部１ｂとが電気的にも接続される。
【００３０】
この撮影システム１は、本体部１ｂに電池が配備され、その電池から、ヘッド部１ａおよび本体部１ｂが備える多数のマウント接点の中の電力用接点を通してヘッド部に電力が供給される構成になっている。その電力用の接点を通して本体部１ｂの電池の電力がヘッド部１ａに供給されると、ヘッド部１ａと本体部１ｂとの双方がともに動作状態になる。また、多数のマウント接点の中には、電力用接点のほかに制御用の接点もあり、その制御用の接点を通してヘッド部１ａと本体部１ｂとの間で情報交換が行なわれるようになっている。
【００３１】
また図１（ａ）、図１（ｂ）に示す本体部１ｂのボディ上面にはレリーズ釦１３ｂとモードダイヤル１４ｂが配備されており、モードダイヤル１４ｂによって撮影モードや再生モードなどの切替が行なわれる。なお本実施形態においては、モードダイヤル１４ｂが撮影モードに切り替えられているとして以降説明する。
【００３２】
また本体部１ｂの背面にはＬＣＤが備える表示画面１５０ｂと、電源スイッチ１６１ｂを含む操作キー１６ｂが多数配備されており、それらの操作子１６ｂの中の電源スイッチ１６１ｂがオン側に操作されると、ヘッド部１ｂが装着された状態にあっては撮影システム１が動作状態になる。なお図１（ｂ）に示す本体部１ｂの背面のＬＣＤが備える表示画面１５０ｂ上には、撮影モードにあってはヘッド部１ａが備える撮影光学系が捉えている被写体が表示され、再生モードにあっては記録媒体内の既撮影画像が表示される。
【００３３】
ここで図２を参照して図１に示す撮影システム１の内部の構成を簡単に訪朋する。
【００３４】
図２はヘッド部１ａが本体部１ｂに装着された状態にあるときの撮影システム１の内部構成を示すブロック図である。
【００３５】
まず、ヘッド部１ａ側の構成および動作を簡単に説明する。
【００３６】
ヘッド部１ａには、フォーカスレンズやズームレンズなどの撮影レンズ１０１０ａと絞り１０１１ａとを備えた撮影光学系１０１ａとその撮影光学系１０１ａで被写体像を結像させて画像信号を得るための撮像素子１０２ａが備えられている。
【００３７】
このため、ヘッド部１ａには、撮影レンズ１０１０ａの中のフォーカスレンズやズームレンズを駆動して光軸方向に移動させるためのレンズ駆動部１００２ａや撮像素子１０２ａを駆動するための撮像素子駆動部１００３ａが配備されている。これらの駆動部の動作は、レンズ制御部１００ａによって統括的に制御されており、レンズ制御部１００ａはメモリ１００４ａ内のプログラムにしたがってそれらの駆動部１００２ａ，１００３ａに処理を実行させている。
【００３８】
また、撮像素子駆動部１００３ａの駆動に応じて撮像素子１０２ａから出力されたアナログの画像信号のノイズ低減処理を行うアナログ信号処理部１０３ａが撮像素子１０２ａの後段に配備されている。さらにそのアナログ信号処理部１０３ａの後段にはＡ／Ｄ部１０４ａが配備され、このＡ／Ｄ部１０４ａでアナログの画像信号がデジタルの画像信号に変換された後、本体部１ｂへと供給される。
【００３９】
ここで本実施形態のヘッド部１ａが備えるメモリ１００４ａ内にはプログラムの他に、ヘッド部１ａの動作時の消費電力量に関する情報が記憶されている。ヘッド部１ａが本体部１ｂに装着されて本体部の操作部１６ｂの中の電源スイッチ１６１ｂ（図１参照）がオン側に操作されると、本体部１ｂ側の後述する信号処理／制御部によってそのメモリ内の情報が取得される。
【００４０】
以上がヘッド部１ａの構成および動作である。
【００４１】
次に本体部１ｂの構成および動作を簡単に説明する。
【００４２】
本体部１ｂには、ヘッド部１ａ側からの画像信号を受けてその画像信号に信号処理を施す信号処理／制御部１００ｂが配備されている。その信号処理／制御部１００ｂによって、メモリ１０１ｂ内のプログラムにしたがって本体部１ｂの動作が制御されるとともにレンズ制御部１００ａと連携して撮影システム１全体の動作が制御される。
【００４３】
本体部１ｂが備える操作部（図１（ｂ）に示す電源スイッチ１６１ｂを含む操作子群）１６ｂからは各操作子の操作に応じた操作信号がそれぞれ出力される構成になっており、それらのうちのいずれかの操作信号に応じた処理が、信号処理／制御部１００ｂによって適宜実行される。また、本実施形態においては、表示制御部１０２ｂが別途設けられていて、上記信号処理／制御部１００ｂの制御の下に、その表示制御部１０２ｂによってＬＣＤ１５ｂが備える表示画面１５０ｂ（図１（ｂ）参照）を背面側から照射するバックライトＬ１の輝度が調整される。
【００４４】
さらにレリーズボタン１３ｂが押されると、レリーズボタン１３ｂが押されたタイミングでヘッド部１ａのレンズ制御部１００ａに割リ込み信号が供給されレンズ制御部１００ａで撮影処理が開始される。
【００４５】
そしてヘッド部１ａから撮影により得られた画像信号が本体部１ｂに送信されてきたら、送信されてきた画像信号が信号処理／制御部１００ｂによって受信され受信された画像信号に信号処理が施された後、信号処理が施された画像信号が記録媒体１１０ｂに記録される。
【００４６】
以上が本体部１ｂの構成および動作である。
【００４７】
ここで、上記ヘッド部１ａが本体部１ｂに装着され電源スイッチ１６１ｂがオン側に操作されたときに信号処理／制御部１００ｂが実行する初期設定に係わる処理を説明する。
【００４８】
ヘッド部１ａが本体部１ｂに装着され操作部１６ｂの中の電源スイッチ１６１ｂ（図１（ｂ）参照）がオン側に操作されたときには、例えば不図示の装着検出用のセンサの出力信号の変化を受けて信号処理／制御部１００ｂによってヘッド部１ａの装着が検知される。
【００４９】
ここで電池Ｂｔから点線で示す電力供給経路を通して本体部１ｂの各部には電力が供給され、さらにマウント部の接点を通して点線で示す電力供給経路を通してヘッド部１ａの各部にも電力が供給される。
【００５０】
ヘッド部１ａと本体部１ｂとの双方に電池Ｂｔからの電力が供給され撮影システムが動作状態になったら、信号処理／制御部１００ｂによって、ヘッド部１ｂが備えるレンズ制御部１００ａとの間で情報交換が行なわれて本体側の信号処理／制御部１００ｂとヘッド部１ａ側のレンズ制御部１００ａとの連携により撮影システムの初期設定の処理が開始される。
【００５１】
このときに本体１ｂ側の信号処理／制御部１００ｂによって、ヘッド部１ａのメモリ１００４ａ内の動作時の消費電力に関する情報がレンズ制御部１００ａを通して取得されヘッド部１ａの動作時の消費電力量が認識される。ここで、信号処理／制御部１００ｂによって、認識されたヘッド部１ａの電力消費量が所定電力量を超えていると判定された場合には、表示制御部１０２ｂに指示が出されて表示制御部１０２ｂによってＬＣＤ１５ｂが備える表示画面１５０ｂの背面側から照射するバックライトＬ１の輝度が下げられることによりヘッド部１ａが所定の時間以上動作するのに必要な電力量が確保される。
【００５２】
こうしてバックライトＬ１の輝度が多少下げられても、被写界の状況によっては表示画面１５０ｂ上の画像はある程度視認されるので、所定の時間の間は問題なく撮影が行なわれる。
【００５３】
本実施形態においては、本発明にいう認識手段の一例が、信号処理／制御部１００ｂによって構成されており、本発明にいう制御手段の一例も信号処理／制御部１００ｂによって構成されている。また本発明にいう表示手段の一例が、表示制御部１０２ｂとＬＣＤ１５ｂで構成されている。
【００５４】
最後に信号処理／制御部１００ｂが実行する初期設定の処理をフローチャートを参照して説明しておく。
【００５５】
図３は、信号処理／制御部１００ｂが実行する初期設定処理の手順を示すフローチャートである。
【００５６】
図３のフローは、ヘッド部１ａが本体部１ｂに装着され電源スイッチ１６１ｂがオン側に操作されたときに開始される。
【００５７】
ヘッド部１ａが本体部１ｂに装着された状態にあるときに、電源スイッチ１６１ｂがオン側に操作されたらステップＳ３０１で電源スイッチ１６１ｂがオン側に操作されたことを検知し電池Ｂｔから本体部１ｂ内およびヘッド部１ａ内の各部に電力を供給させる。次のステップＳ３０２へ進んでヘッド部１ａ側のメモリ１００４ａ内に記憶されているヘッド部１ａの動作時の消費電力量に関する情報を取得し認識する。次のステップＳ３０３で認識した消費電力量が所定電力量を超えているか否かを判定する。ステップＳ３０３で所定電力量以下であると判定したらＮｏ側へ進んで何もせずにこのフローの処理を終了し、所定電力量を超えていると判定したときにはＹｅｓ側へ進んでステップＳ３０４で表示制御部１０２ｂに指示して表示制御部１０２ｂにバックライトＬ１の輝度を下げさせてこのフローの処理を終了する。このときには電力消費量が所定電力量をどの程度超えているかによって下げ幅を調節する。
【００５８】
図３のフローの処理が実行されると、電源スイッチ１６１ｂがオン側に操作されたときに、ヘッド部１ａの動作時の消費電力量が所定電力量を超えるかどうかが判定され消費電力量が所定の電力量を超えると判定された場合には本体部側のバックライトＬ１の輝度が下げられヘッド部１ａが動作するのに必要な電力量が確保されるので、この撮影システムを構成するヘッド部の正常動作が保証される。このため撮影者は、この撮影システムを使って確実に撮影を行なうことができる。
【００５９】
以上説明した様に、装着されたヘッド部の種類に応じて、本体側の電池からの電力供給の状態が適応的に制御され撮影が確実に行なわれる撮影システムが実現する。
【００６０】
なお、上記実施形態では、本発明にいう表示手段の一例としてボディ背面側にＬＣＤが備えられているデジタルカメラを例に掲げたが、ＬＣＤではなくＥＶＦが備えられたデジタルカメラであっても良い。
【００６１】
ここでヘッド部１ａの電力消費量が所定電力量を超えているときに本体側のバックライトＬ１の輝度が下げられると表示画面１５０ｂが暗くなり、被写界の状態によっては表示画面１５０ｂが見づらくなる場合がある。ユーザの中には、ヘッド部１ａの動作に必要な電力量が確保され消費電力が抑制されることによって所定時間の間の撮影動作が保障されるよりも、目の前のシャッタチャンスのフレーミングをより確実に行ないたいと思う人もいる。
【００６２】
図４〜図５は、第２実施形態を説明する図である。
【００６３】
図４には、第２の実施形態の撮影システム１´を構成するヘッド部１ａと本体部１ｂの構成が示されており、図５には、ヘッド部１ａが装着された状態にあるときの撮影システム１´の内部の構成がブロック図の形で示されている。図４の構成は輝度調整用の操作子ＩＮＴ１が設けられいている以外は図１と同じ構成であり、図５の構成も、輝度調整用の操作子ＩＮＴ１が設けられている以外は、図２の構成と同じである。
【００６４】
図５に示す様に輝度調整用の操作子ＩＮＴ１からの信号が信号処理／制御部１００ｂに供給され信号処理／制御部１００ｂの制御の下に表示制御部１０２ｂによってバックライトＬ１の輝度がユーザによる操作子の操作状態に応じて調整される構成になっている。
【００６５】
図４、図５の構成であると、電源スイッチ１６１ｂが操作されたときに表示画面１５０ｂの輝度が下げられたためにユーザが表示画面１５０ｂの見づらさを感じた場合には、消費電力が上がることを承知の上で輝度調整用の操作子ＩＮＴ１を操作して表示画面１５０ｂの輝度を明るくすることができるので、ユーザにとっての使い勝手は向上する。
【００６６】
図６〜図８は、第３実施形態を説明する図である。
【００６７】
図６には、第３実施形態の撮影システム２を構成するヘッド部１ａと本体部２ｂの外観が示されている。また図７には、図６の撮影システム２の内部構成が示されている。さらに図８には、信号処理／制御部２００ｂが実行する初期設定の処理の手順がフローチャートの形で示されている。
【００６８】
この第３実施形態には、本発明にいう複数の表示手段の一例としてＬＣＤ２５ｂとＥＶＦ２９ｂとが本体部２ｂに配備された例が示されている。図６の構成は、ＬＣＤに加えてＥＶＦ２９ｂが追加されている以外は、図１の構成と同じであり、図７の構成もＥＶＦ２９ｂが追加されている以外は、図２の構成と同じである。
【００６９】
第３実施形態では、ＥＶＦ２９ｂとＬＣＤ２５ｂとの２つの表示手段が備えられているので、信号処理／制御部２００ｂによって、ヘッド部２ａの電力消費量が認識されるとともに認識されたヘッド部の消費電力量が所定電力量を超えているか否かに応じて、それぞれ、ＥＶＦ２９ｂとＬＣＤ２５ｂのうちの少なくとも一つが使用可能に制御されるとともに他の少なくとも一つが使用不能に制御され、および、ＥＶＦ２９ｂとＬＣＤ２５ｂとの双方が使用可能に制御される。
【００７０】
ただし、ヘッド部１ａの電力消費量が所定電力消費量を超えているときにＥＶＦ２９ｂとＬＣＤ２５ｂのうちのいずれか一方のみを使用可能にすると、ＥＶＦ２９ｂを用いたいのにＬＣＤ２５ｂを用いることになったり、ＬＣＤ２５ｂを用いたいのにＥＶＦ２９ｂを用いることになったりして、ユーザに多少不自由さを感じさせてしまう恐れが出てくる。
【００７１】
そこで、本実施形態においては、ヘッド部１ａの電力消費量が所定電力量を超えているときに例えばＥＶＦ２９ｂが使用可能とされ、ＬＣＤ２５ｂが使用不能とされた後に操作部２６ｂ（図6参照）の中の十字キー２６２ｂが操作されると、ＥＶＦ２９ｂが使用不能とされると同時にＬＣＤ２５ｂが使用不能とされ、さらにその後十字キー２６２ｂが再操作されると、ＥＶＦ２０ｂが使用可能とされると同時にＬＣＤ２５ｂが使用可能とされ、以降交互に使用可能となる側が切り替えられる構成になっている。つまり、ユーザは、十字キー２６２ｂを操作することによりＥＶＦ２９ｂ、ＬＣＤ２５ｂのいずれかを自在に選択することができることになる。
【００７２】
なお、上記実施形態では、２つの表示手段（ＬＣＤ２５ｂとＥＶＦ２９ｂ）のうちの使用可能とする表示手段を切り替える操作子を他の機能を持つ十字キー２６２ｂで兼用したが、別途専用の操作子を設けても良い。
【００７３】
図８は、信号処理／制御部２００ｂが実行する初期設定の処理手順を示すフローチャートである。
【００７４】
図８の処理においては、図３のステップＳ３０３の判定ステップで判定された後のステップＳ３０４の処理がステップＳ３０４１に変更され、さらにそれ以降のステップＳ３０５〜Ｓ３０７までの処理が追加されている。
【００７５】
ステップＳ３０３でヘッド部の消費電力量が所定電力量を超えていると判定したときには、ステップＳ３０４１へ進んでステップＳ３０４１でＥＶＦ２９ｂを使用可能としＬＣＤ２５ｂを使用不能とする処理を表示制御部２０２ｂに行なわせる。次のステップＳ３０５で十字キー２６２ｂの操作があったかどうかを判定する。ここで十字キー２６２ｂが操作されたと判定したら、ステップＳ３０６で、操作される前の状態において使用不能であった方を使用可能とし使用可能であった方を使用不能にする処理を表示制御部２０２ｂに行なわせる。ここではＥＶＦ２９ｂを使用可能としていたので、ＥＶＦ２９ｂを使用不能にし、ＬＣＤ２５ｂを使用可能にする処理を表示制御部２０２ｂに行なわせることになる。ステップＳ３０５に戻って十字キー２６２ｂの新たな操作があるかどうかを判定し、十字キー２６２ｂが新たに操作されたら、操作される前の状態において使用可能であった方を使用不能とし、使用不能であった方を使用可能とする処理を繰り返す。ステップＳ３０５で十字キー２６２ｂが操作されていないと判定したら、このフローの処理を終了する。
【００７６】
ステップＳ３０３で消費電力量が所定電力量を超えていないと判定したときにはステップＳ３０７へ進んでステップＳ３０７でＥＶＦ２９ｂとＬＣＤ２５ｂとの双方を使用可能にする処理を表示制御部２０２ｂに行なわせてこのフローの処理を終了する。
【００７７】
このフローの処理が実行されると、ヘッド部２ａの電力消費量が所定電力量を超えているときにはヘッド部２ａの動作を保証しつつ撮影を行なうことができる様にＬＣＤ２５ｂとＥＶＦ２９ｂの動作が選択的に制御される。
【００７８】
ここで第３実施形態の様に操作によりＬＣＤ２５ｂとＥＶＦ２９ｂとを選択的に使用することができる様にしておいても良いが、ユーザの操作に応じて信号処理制御部２００ｂが表示制御部２０２ｂに指示して表示制御部１０２ｂにＬＣＤ２５ｂとＥＶＦ２９ｂとの双方を使用可能にする処理を行なわせても良い。
【００７９】
図９、図１０は、第４実施形態を説明する図である。
【００８０】
図９には、第４の実施形態の撮影システム２´を構成するヘッド部１ａと本体部２ｂ´の構成が示されており、図１０には、ヘッド部１ａが装着された状態にあるときの撮影システム２´の内部の構成がブロック図の形で示されている。図９の構成は、２種類の表示手段のうちの全てを使用可能とする操作子ＩＮＴ２が設けられいている以外は図１と同じ構成であり、図１０の構成も、上記操作子ＩＮＴ２が設けられている以外は、図２の構成と同じである。
【００８１】
図９、図１０に示す操作子ＩＮＴ２が操作されると、信号処理／制御部１００ｂに操作子ＩＮＴ２からの操作信号が供給され信号処理／制御部２００ｂの制御の下に表示制御部２０１ｂによってＥＶＦ２９ｂとＬＣＤ２５ｂとの双方が使用可能に制御される。なお、この例では、操作子ＩＮＴ２が再度操作されたときには、いずれか一方が使用可能に制御され、再々度操作されたときには双方が使用可能に制御され、以降順次一方と双方とが交互に使用可能に制御される構成になっている。
【００８２】
上記構成にしておくと、ＬＣＤ２５ｂが備える表示画面２５０ｂを見ながら撮影したいのにＬＣＤ２５ｂが使用不能であったり、ＥＶＦ２９ｂを見ながら撮影したいのにＥＶＦが備える表示画面が使用不能であったとしても上記操作子ＩＮＴ２を操作することでＬＣＤ２５ｂとＥＶＦ２９ｂとの双方を使用可能にすることができるので、見たい方の表示画面を見ながら思い通りの撮影を楽しむことができる。
【図面の簡単な説明】
【００８３】
【図１】本発明の一実施形態である撮影システムを示す図である。
【図２】ヘッド部１ａが本体部１ｂに装着された状態にあるときの撮影システムの内部構成を示すブロック図である。
【図３】信号処理／制御部１００ｂが実行する初期設定処理の手順を示すフローチャートである。
【図４】第２実施形態を説明する図である。
【図５】第２実施形態を説明する図である。
【図６】第３実施形態を説明する図である。
【図７】第３実施形態を説明する図である。
【図８】第３実施形態を説明する図である。
【図９】第４実施形態を説明する図である。
【図１０】第４実施形態を説明する図である。
【符号の説明】
【００８４】
１  １´  ２  ２´  撮影システム
１ａ    ヘッド部
１００ａ    レンズ制御部
１００４ａ    メモリ
１ｂ  ２ｂ  本体部
１００ｂ  ２００ｂ  信号処理／制御部
１０１ｂ  ２０１ｂ  メモリ
１０２ｂ  ２０２ｂ  表示制御部
１５ｂ  ２５ｂ  ＬＣＤ
１５０ｂ  ２５０ｂ    表示画面
１６ｂ  ２６ｂ  操作部
１６１ｂ  ２６１ｂ    電源スイッチ
２６２ｂ      十字キー
２９ｂ      ＥＶＦ
Ｌ１    Ｌ２    バックランプ
ＩＮＴ１  ＩＮＴ２    操作子
【図１】
2008131304.tif 000003
【図２】
2008131304.tif 000004
【図３】
2008131304.tif 000005
【図４】
2008131304.tif 000006
【図５】
2008131304.tif 000007
【図６】
2008131304.tif 000008
【図７】
2008131304.tif 000009
【図８】
2008131304.tif 000010
【図９】
2008131304.tif 000011
【図１０】
2008131304.tif 000012